(57)【要約】  【課題】製造が容易な液晶表示装置を提供する。  【解決手段】液晶パネル２の裏面側にバックライト21を対向して配設する。バックライト21と液晶パネル２の表示画面エリア４の待受情報表示部５との間に反射シート34を配設する。待受情報表示部５の表面３側から入射する外光を反射シート34で反射する。バックライト21にて液晶パネル２の裏面12に光を照射しなくても、反射シート34による外光の反射により待受情報表示部５に表示する画像を視認できる。バックライト21の点灯なしで待受情報表示部５に表示する画像を視認できる液晶表示装置１の製造を容易にできる。  【選択図】図１
2005114907.tif 000002
【特許請求の範囲】
【請求項１】
画像を表示し光を透過可能な平面表示パネルと、
この平面表示パネルの裏面に配設され、この平面表示パネルの表面から入射する光を反射する反射体と、
一部が前記反射体の裏面に対向して配設され、前記平面表示パネルの裏面に面状の光を出射する面状光源と
を具備した平面表示装置。
【請求項２】
面状光源は、光源、およびこの光源に一側縁を対向して配設されこの光源からの光を面状の光に変換して平面表示パネルの他側に入射させる面状光源変換体を備え、
反射体は、前記光源と前記平面表示パネルとの間に配設されている
ことを特徴とした請求項１記載の平面表示装置。
【請求項３】
平面表示パネルは、画像を表示する有効表示領域を有し、
反射体は、前記平面表示パネルの有効表示領域と面状光源との間に配設されている
ことを特徴とした請求項１または２記載の平面表示装置。
【請求項４】
面状光源の光源は、前記平面表示パネルの有効表示領域に対向して配設されている
ことを特徴とした請求項３記載の平面表示装置。
【請求項５】
平面表示パネルの有効表示領域は、特定の情報を表示する特定情報表示部を有し、
反射体は、前記平面表示パネルの有効表示領域における特定情報表示部と面状光源との間に配設され、前記特定情報表示部を覆っている
ことを特徴とした請求項１ないし４いずれか記載の平面表示装置。
【請求項６】
請求項１ないし５いずれか記載の平面表示装置を具備し、
この平面表示装置の平面表示パネルは、液晶パネルである
ことを特徴とした液晶表示装置。
【発明の詳細な説明】
【技術分野】
【０００１】
本発明は、平面表示パネルの裏面側に面状光源が配設された平面表示装置および液晶表示装置に関する。
【背景技術】
【０００２】
従来、携帯電話機などに使用される液晶表示装置としては、この携帯電話機の待ち受け時間を長くするために液晶表示装置の光源の発光を停止させている。特に、この液晶表示装置が透過型である場合においては、光源の発光を停止させることによって、液晶表示装置の液晶パネルに表示される画像を視認できなくなる。
【０００３】
これに対し、透過部分と反射部分とを組み合わせた半透過型や微透過型の液晶表示装置の場合には、光源の発光を停止させた場合であっても、液晶パネルの表面へと入射する外光を反射させることによって、この液晶パネルに表示される画像を視認できる。
【０００４】
また、この種の液晶表示装置としては、光源の発光を停止させた場合であっても液晶パネルに表示される画像を視認可能とするために、この液晶パネルの画像表示エリア中に入射する光を反射する反射領域と、入射する光の一部を反射させて残りの光を透過させる反射・透過領域とのそれぞれとを区画分けして設けた構成が知られている(例えば、特許文献１参照。)。
【特許文献１】特開２００２−３０３８６３号公報（第３−６頁、図２および図６）
【発明の開示】
【発明が解決しようとする課題】
【０００５】
しかしながら、上記液晶表示装置では、光源の発光を停止させた場合であっても液晶パネルに表示される画像を視認可能とするために、この液晶パネルの画像表示エリア中に反射領域と反射・透過領域とのそれぞれを区画分けして設けているため、この液晶パネルの構成が複雑となるから、この液晶パネルの製造が容易ではないという問題を有している。
【０００６】
本発明は、このような点に鑑みなされたもので、製造が容易な平面表示装置および液晶表示装置を提供することを目的とする。
【課題を解決するための手段】
【０００７】
本発明は、画像を表示し光を透過可能な平面表示パネルと、この平面表示パネルの裏面に配設され、この平面表示パネルの表面から入射する光を反射する反射体と、一部が前記反射体の裏面に対向して配設され、前記平面表示パネルの裏面に面状の光を出射する面状光源とを具備したものである。
【０００８】
そして、画像を表示し光を透過可能な平面表示パネルの裏面に、この平面表示パネルの表面から入射する光を反射する反射体を配設する。次いで、面状光源の一部を反射体の裏面に対向して配設して、この面状光源にて平面表示パネルの裏面に面状の光を出射する。この結果、面状光源にて平面表示パネルの裏面に面状の光を出射しなくても、平面表示パネルの表面から入射する光を反射体にて反射することにより、この反射体が対向して配設された平面表示パネルの一部に表示される画像が視認可能となる。よって、面状光源から平面表示パネルへの面状の光の透過がなくても、この平面表示パネルの一部に表示される画像が視認可能な平面表示装置の製造が容易になる。
【発明の効果】
【０００９】
本発明によれば、面状光源にて平面表示パネルの裏面に面状の光を出射しなくても、平面表示パネルの表面から入射する光を反射体にて反射することにより、この反射体が対向して配設された平面表示パネルの一部に表示される画像が視認可能となるから、面状光源から平面表示パネルへの面状の光の透過がなくても、この平面表示パネルの一部に表示される画像が視認可能な平面表示装置の製造を容易にできる。
【発明を実施するための最良の形態】
【００１０】
以下、本発明の液晶表示装置の一実施の形態の構成を図１および図２を参照して説明する。
【００１１】
図１および図２において、１は平面表示装置としての液晶表示装置で、この液晶表示装置１は狭額縁および携帯性に優れた薄型である。そして、この液晶表示装置１は、主として図示しない携帯電話機向け、すなわち携帯電話機の画像表示部などとして用いられるものであり、平面表示パネルとしての液晶表示パネルである略矩形平板状の液晶パネル２を備えている。
【００１２】
この液晶パネル２は、カラー表示が可能、かつ光を透過可能な透過型で、光変調層を図示しない液晶層としている。さらに、この液晶パネル２の中央部には、この液晶パネルの一側である表面３に画像を表示させる有効表示領域としての矩形状の表示画面エリア４が形成されている。この表示画面エリア４には、複数の図示しない表示画素がマトリクス状に配列されている。
【００１３】
そして、この液晶パネル２の表示画面エリア４は、特定の情報を表示する細長矩形状の特定情報表示部としての待受情報表示部５と、通常の情報を表示する通常情報表示部である主情報表示部６とに区分けされて形成されている。ここで、待受情報表示部５は、表示画像エリア４の長手方向における一端側である上側に設けられており、この表示画像エリア４の幅方向の全域に亘って設けられている。そして、この待受情報表示部５では、携帯電話機用途の液晶表示装置１に表示される情報のうち、この携帯電話機の受信待ち受け時に表示が必要な情報、例えば電波情報、電池残量情報、留守番電話メッセージの有無情報、時刻情報などが画像として表示される。なお、この待受情報表示部５は、液晶パネル２の表示画面エリア４のうち、上側１０行程度を占めている。
【００１４】
また、主情報表示部６は、待受情報表示部５を除いた表示画像エリア４の長手方向における他端側である下側に設けられており、この表示画像エリア４の幅方向の全域に亘って設けられている。そして、この主情報表示部６では、受信した電子メール情報や、通信先の電話番号情報、所定の映像情報などが画像として表示される。
【００１５】
さらに、液晶パネル２は、図示しない薄膜トランジスタ(ＴＦＴ)が一主面である表面にマトリクス状に設けられたアレイ基板８を備えている。そして、このアレイ基板８の表面には、裏面側に図示しない対向電極が形成された対向基板７が対向されて配設されている。この対向基板７の高さ方向における一側部である上端部は、アレイ基板８の上端部よりも内側に位置している。さらに、これらアレイ基板８と対向基板７との間には液晶層が介挿されて封止されて液晶パネル２が構成されている。
【００１６】
そして、この液晶パネル２の表示画面エリア４の表面３には、この表示画面エリア４の表面３側から出射する光を光学的に変化させる光学シートである偏光体としての表側の偏光板11が対向して重ね合わされた状態で取り付けられている。この偏光板11は、液晶パネル２の表示画面エリア４の表面３から出射される面状の光を偏光して、この液晶パネル２の表示画面エリア４の表面３における面内輝度の均一化や輝度の向上を図る。
【００１７】
また、この液晶パネル２の表示画面エリア４の他側である裏面12には、この表示画面エリア４の裏面12側へと入射する光を光学的に変化させる略矩形平板状の偏光体としての裏側の図示しない偏光板が対向して重ね合わされた状態で配設されて取り付けられている。この偏光板は、液晶パネル２の表示画面エリア４の裏面12側に入射する面状の光を偏光して、この表示画面エリア４の表面３における面内輝度の均一化や輝度の向上を図る。
【００１８】
一方、液晶パネル２の裏面側には、この液晶パネル２の表示画面エリア４に面状の光を出射させて透過させる面状光源としての面光源装置である矩形平板状のバックライト21が対向して配設されている。このバックライト21は、液晶パネル２の裏面12側の偏光板に対向して重ね合わされた状態で取り付けられている。また、このバックライト21は、液晶パネル２の表示画面エリア４における主情報表示部６の裏面側に面状の光を出射させて透過させる。
【００１９】
そして、このバックライト21は、上面視Ｌ字シート状のプリント配線基板22を備えている。このプリント配線基板22の細長矩形シート状の本体部23の表面には、複数、例えば３個の点状光源としての発光ダイオード24が取り付けられている。これら発光ダイオード24は、本体部23の長手方向に沿った中央部および両端部のそれぞれに等間隔に離間させた状態で、この本体部23の表面に実装されている。また、この本体部23の長手方向における一端部には、この本体部23の幅方向に沿って突出する細長矩形シート状の接続片部25が一体的に設けられている。
【００２０】
さらに、各発光ダイオード24の一側面に対して一辺であるランプ側としての光入射面26を平行に対向させた状態で、矩形略平板状の面状光源変換体としてのプリズム導光体である導光板27が配設されている。この導光板27は、光透過性を有する樹脂などにより成形されており、液晶パネル２の表示画面エリア４における主情報表示部６に略等しい矩形略平板状に形成されている。さらに、この導光板27の他主面としての非光出射面である裏面28には、図示しないプリズムが成形されている。
【００２１】
そして、この導光板27は、各発光ダイオード24からの点状の光が光入射面26を介して入射されて、この線状の光を導光板27の一主面である裏面28に対向した光出射面としての発光面である表面29側に向けて面状に屈折させて面状の光に変換して、この面状の光を液晶パネル２の表示画面エリア４の裏面12側へと照射させる。
【００２２】
さらに、この導光板27の表面29には、この導光板27の表面29を覆う略矩形シート状の光学シートである拡散シート31が重ね合わされた状態で取り付けられている。この拡散シート31は、導光板27の表面29に対向して配設されている。また、この拡散シート31は、導光板27の表面29から出射される面状の光を拡散させて、この導光板27の表面29の面内輝度の均一化や輝度の向上を図る。
【００２３】
また、この拡散シート31の表面には、この拡散シート31の表面を覆う略矩形シート状の光学シートとしての複数、例えば２枚のプリズムシート32,33のそれぞれが重ね合わされた状態で取り付けられている。これらプリズムシート32,33は、拡散シート31の表面に対向して配設されている。さらに、これらプリズムシート32,33は、拡散シート31にて拡散されつつ、この拡散シート31を透過した面状の光を光学的に変化させて集光などさせる。
【００２４】
また、バックライト21の最も表面側のプリズムシート33と液晶パネル２との間の一部には、入射する光を反射させる反射体としての細長矩形シート状の反射シート34が取り付けられている。この反射シート34の裏面側には、バックライト21の一部が対向して配設されている。さらに、この反射シート34は、液晶パネル２の幅寸法に等しい長手寸法を有しているとともに、液晶パネル２の上端縁からこの液晶パネル２の表示画面エリア４における待受情報表示部５の下端縁までの距離に等しい幅寸法を有している。
【００２５】
したがって、この反射シート34は、液晶パネル２の裏面12側において、この液晶パネル２の上端縁に沿って取り付けられており、この液晶パネル２の表示画面エリア４における待受情報表示部５の全面を覆っている。言い換えると、この反射シート34は、バックライト21の各発光ダイオード24と液晶パネル２との間に配設されている。すなわち、この反射シート34は、液晶パネル２の表示画面エリア４における待受情報表示部５の表面３側から入射する外部からの光、すなわち外光を反射させて、この待受情報表示部５に表示される特定の情報を使用者に対して視認可能にする。ここで、この待受情報表示部５は、各発光ダイオード24が発光していない待ち受け時に外光を利用して表示させたい部分である。
【００２６】
さらに、この反射シート34は、液晶パネル２の裏面12側にバックライト21を対向させて取り付けた際に、このバックライト21の各発光ダイオード24のそれぞれを覆うように取り付けられている。このとき、これら各発光ダイオード24は、液晶パネル２の表示画面エリア４における待受情報表示部５の裏面12側に反射シート34を介して対向して配設されている。言い換えると、これら各発光ダイオード24上には、液晶パネル２の表示画面エリア４の一部である待受情報表示部５が反射シート34を介して配置されている。
【００２７】
一方、バックライト21の導光板27の裏面28には、この導光板27の裏面28を覆う矩形シート状の光学シートである反射シート35が取り付けられている。この反射シート35は、導光板27内からこの導光板27の裏面28を介して外部へと出射する光を、この導光板27の表面29側に向けて反射させる。
【００２８】
そして、拡散シート31およびプリズムシート32,33が導光板27の表面29に取り付けられ、反射シート35が導光板27の裏面28に取り付けられ、各発光ダイオード24それぞれの一側面を導光板27の光入射面26側に対向させて取り付けられてバックライト21が構成される。さらに、このバックライト21は、液晶パネル２の裏面12に反射シート34を介して対向させて配設させた状態で、これら液晶パネル２および反射シート34とともに略矩形平板状のフレーム41に収容されて保持されている。
【００２９】
次に、上記一実施の形態の作用を説明する。
【００３０】
まず、携帯電話機の任意のスイッチを押したり、この携帯電話機の一部を開くなどして所定の形状に変化させたりして、この携帯電話機のモードを待受モードから通話可能モードに変更させた場合には、バックライト21のプリント配線基板22を介して各発光ダイオード24へと電気エネルギが供給されて、これら各発光ダイオード24が発光する。
【００３１】
すると、これら各発光ダイオード24から発光した光が、導光板27の光入射面26へと入射する。
【００３２】
そして、この導光板27の光入射面26へと入射した光は、この導光板27の裏面28に形成したプリズムや、この裏面28に取り付けた反射シート35によって、この導光板27の表面29側に向けて面状に変換されて、この導光板27の表面29から出射される。
【００３３】
この後、この導光板27の表面29から出射した面状の光は、拡散シート31を透過してこの拡散シート31にて拡散された後、各プリズムシート32,33を透過してこれらプリズムシート32,33により光学的に変化されて、導光板27の表面29の面内輝度の均一化や輝度の向上が図られる。
【００３４】
次いで、これら拡散シート31およびプリズムシート32,33を透過した面状の光は、アレイ基板８の裏面12側の偏光板へと出射されて、この偏光板を透過する。
【００３５】
このとき、この裏面側の偏光板へと出射された面状の光は、この偏光板にて偏光されてから、この偏光板を透過する。
【００３６】
この後、この偏光板を透過した面状の光の一部が、反射シート34にて反射されるとともに、この反射シート34にて反射されない残りの光が、液晶パネル２の表示画面エリア４における主情報表示部６の裏面12側へと照射される。
【００３７】
そして、この液晶パネル２の表示画面エリア４における主情報表示部６の裏面12側へと照射した面状の光は、この表示画面エリア４の主情報表示部６を選択的に透過した後、偏光板11にて偏光されてから使用者の目に入り、この表示画面エリア４の主情報表示部６にて表示される電子メール情報や、通信先の電話番号情報、所定の映像情報などの画像が使用者に視認される。
【００３８】
次いで、携帯電話機による通話やメールの送受信などが終了してから所定の時間が経過したり、この携帯電話機を折り曲げるなどして所定の形状に変化さたりして、この携帯電話機のモードが通話可能モードから待受モードに変更された場合には、この携帯電話機の待機時間をより長時間とする目的により、液晶表示装置１の各発光ダイオード24の発光が停止される。
【００３９】
この結果、これら各発光ダイオード24の発光の停止によって、この液晶表示装置１の液晶パネル２の表示画面エリア４の主情報表示部６に表示された画像が視認できなくなる。
【００４０】
ところが、この液晶パネル２の表示画面エリア４の表面３へと入射する外光のうち、この表示画面エリア４における待受情報表示部５へと入射する光は、液晶パネル２の裏面12に取り付けられた反射シート34にて反射される。
【００４１】
すると、この反射シート34による光の反射によって、液晶パネル２の表示画面エリア４の待受情報表示部５に表示された電波情報、電池残量情報、留守番電話メッセージの有無情報、時刻情報などの受信待ち受け時に表示が必要な種々の情報が視認可能となる。
【００４２】
なお、この待受情報表示部５に表示された種々の情報は、携帯電話機のモードを待受モードから通話可能モードへと変更して、各発光ダイオード24を発光させた場合でも、反射シート34による外光の反射によって視認可能である。
【００４３】
上述したように、上記一実施の形態によれば、携帯電話機に使用される液晶表示装置１では、この携帯電話機の待ち受け時間を長くするために、この携帯電話機が待受モードの際に、液晶表示装置１のバックライト21の各発光ダイオード24の点灯を停止させている。このとき、これら各発光ダイオード24の点灯を停止させた場合には、この液晶表示装置１が透過型であるため、この液晶表示装置１の液晶パネル２の表示画面エリア４に表示される画像を視認できない。
【００４４】
そこで、液晶パネル２の表示画面エリア４における待受情報表示部５の裏面とバックライト21との間に反射シート34を取り付けて、この液晶パネル２の表示画面エリア４における待受情報表示部５の表面３側から入射する外光を反射シート34にて反射させる構成とした。
【００４５】
この結果、透過型の液晶表示装置１であっても、バックライト21の各発光ダイオード24を点灯させて、液晶パネル２の表示画面エリア４の裏面12側に面状の光を照射させることなく、この表示画面エリア４の待受情報表示部５の表面側から入射する外光の反射シート34による反射によって、この表示画面エリア４の待受情報表示部５に表示される種々の情報を示す画像が使用者に視認可能となる。
【００４６】
したがって、バックライト21を点灯させなくても、液晶パネル２の表示画面エリア４における待受情報表示部５に表示される画像が視認可能な透過型の液晶表示装置１の構成が簡略になるから、この液晶表示装置１の製造を容易にできる。
【００４７】
ここで、液晶パネル２の表示画面エリア４における待受情報表示部５は、この待受情報表示部５の裏面側に反射シート34が取り付けられているため、バックライト21の各発光ダイオード24が点灯している場合であっても、このバックライト21の導光板27から出射される面状の光が入射されない。したがって、この待受情報表示部５に表示される画像は、この待受情報表示部５の表面３側から入射した外光の反射シート34による反射のみによって視認可能となる。
【００４８】
このとき、この待受情報表示部５の表面３へと入射する外光よりもバックライト21から出射される光の方が光量が大きい。このため、この待受情報表示部５に表示される画像がバックライト21からの光によって視認しにくくなる。ところが、このバックライト21は携帯電話機が通話可能モードの場合のみに点灯するに過ぎない。したがって、この携帯電話機が通話可能モードの場合には、液晶パネル２の表示画面エリア４における待受情報表示部５に表示される情報の重要性が低くなり、この表示画面エリア４における主情報表示部６に表示される情報の重要性が高くなるから、使用上特に問題が生じない。
【００４９】
さらに、バックライト21の各発光ダイオード24のそれぞれを液晶パネル２の表示画面エリア４における待受情報表示部５の裏面12側に対向させて配設させた。このため、これら発光ダイオード24が液晶パネル２の外周縁よりも外側に突出することなく、この液晶パネル２の裏面12側に収容できる。よって、これら発光ダイオード24を備えたバックライト21を液晶パネル２の裏面12側に対向させて重ね合わせた際の大きさを小さくできるから、この液晶パネル２の表示画面エリア４の大きさを犠牲にすることなく、より小型な液晶表示装置１を提供できる。
【００５０】
なお、上記一実施の形態では、透過型の液晶表示装置１について説明したが、この液晶表示装置１が半透過型や微透過型などであっても、この液晶表示装置１の液晶パネル２の表面３に入射した外光を反射シート34にて反射させることにより、液晶パネル２の表示画面エリア４の待受情報表示部５に表示される画像をより高品位にできる。
【００５１】
また、反射シート34の裏面の少なくとも一部にバックライト21の一部を重ね合わせて配設させてもよく、この反射シート34の裏面全面にバックライト21の一部を重ね合わせて配設させてもよい。
【００５２】
さらに、光変調層を液晶層とした液晶表示装置１以外の平面表示装置であっても、対応させて用いることができる。
【図面の簡単な説明】
【００５３】
【図１】本発明の平面表示装置の一実施の形態を示す説明分解斜視図である。
【図２】同上平面表示装置の平面表示パネルを示す説明上面図である。
【符号の説明】
【００５４】
１    平面表示装置としての液晶表示装置
２    平面表示パネルとしての液晶パネル
４    有効表示領域としての表示画面エリア
５    特定情報表示部としての待受情報表示部
21    面状光源としてのバックライト
24    光源としての発光ダイオード
27    面状光源変換体としての導光板
34    反射体としての反射シート
【図１】
2005114907.tif 000003
【図２】
2005114907.tif 000004